(57)【要約】【課題】視聴中の映像の一部に視聴を妨げることなく画像を重畳して表示する表示装置、表示方法及びプログラムを提供する。【解決手段】表示部１５の横長の表示画面にチューナ１１が選局した受信チャンネルで放送される番組の映像が表示される。ＣＰＵ１７は、リモコン３が電子番組表を表示する操作を受け付けた場合、表示部１５に表示している映像に重畳する縦長の電子番組表の画像を生成する。ＯＳＤ部１４は、表示部１５に表示する映像に対してＣＰＵ１７により生成された画像を表示するよう重畳して、表示画面の左端又は右端に沿った領域に電子番組表を表示する。【選択図】図１
2011024034.tif 000002
【特許請求の範囲】
【請求項１】
横長矩形状の表示画面に表示した映像の一部に画像を重畳して表示する表示装置において、
前記画像を表示する操作を受付ける受付部と、
該受付部により前記操作を受付けた場合、前記表示画面の一短辺に沿った領域に前記画像を表示する短辺領域表示部と
を備えることを特徴とする表示装置。
【請求項２】
前記短辺領域表示部により前記画像を表示している状態で、前記受付部により前記操作を受付けた場合、前記表示画面の全面に前記画像を表示する全面表示部を備えることを特徴とする請求項１に記載の表示装置。
【請求項３】
前記短辺領域表示部により前記画像を表示している状態で、前記受付部により前記操作を受付けた場合、前記表示画面の一長辺に沿った領域に前記画像を表示する長辺領域表示部を備えることを特徴とする請求項１に記載の表示装置。
【請求項４】
前記短辺領域表示部は、前記表示画面の一側短辺又は他側短辺夫々に沿った領域に前記画像を表示するよう構成してあり、
前記受付部は、前記一側短辺又は他側短辺の選択を受付けるよう構成してある
ことを特徴とする請求項１に記載の表示装置。
【請求項５】
前記表示画面の縦横比に応じて前記映像を該表示画面の横方向に伸長する伸長部と、
前記短辺領域表示部により前記画像を表示する場合、前記伸長部による伸長を停止する伸長停止部と
を備えることを特徴とする請求項１から請求項４までのいずれか一項に記載の表示装置。
【請求項６】
前記受付部は、前記短辺領域表示部により表示した前記画像に応じた操作を受付け可能に構成してあることを特徴とする請求項１から請求項５までのいずれか一項に記載の表示装置。
【請求項７】
１つ又は複数の設定に基づいて前記表示画面に表示する映像を調整する映像調整部を備え、
前記受付部は、前記短辺領域表示部により表示した前記画像に応じて前記１つ又は複数の設定を受付けるよう構成してある
ことを特徴とする請求項６に記載の表示装置。
【請求項８】
前記映像は、放送波を受信して得られる番組映像であり、
前記画像は、番組表である
ことを特徴とする請求項１から請求項７までのいずれか一項に記載の表示装置。
【請求項９】
横長矩形状の表示画面に表示した映像の一部に画像を重畳して表示する表示方法において、
前記画像を表示する操作を受付け、
前記表示画面の一短辺に沿った領域に前記画像を表示する
ことを特徴とする表示方法。
【請求項１０】
横長矩形状の表示画面を有するコンピュータに、前記表示画面に表示した映像の一部に画像を重畳して表示させるプログラムにおいて、
前記コンピュータに、
前記画像を表示する操作を受付ける受付ステップと、
該受付ステップにより前記操作を受付けた場合、前記表示画面の一短辺に沿った領域に前記画像を表示する表示ステップと
を実行させることを特徴とするプログラム。
【発明の詳細な説明】
【技術分野】
【０００１】
本発明は、視聴中の映像の一部に視聴を妨げることなく画像を重畳して表示する表示装置、表示方法及びプログラムに関する。
【背景技術】
【０００２】
表示している視聴映像に番組表及び操作画面等の他の画像を重畳して表示する表示装置が広く使われている。他の画像は、ユーザの視聴の妨げとならないよう表示サイズ及び表示位置が調整されて視聴映像に重畳される。視聴映像の中央部分は、映像内容と関連する視聴に重要な部分が表示されるため、一般に表示画面の上側又は下側に表示される。特許文献１に記載の表示装置は、テレビジョン放送映像を表示している状態で番組表を表示する場合、表示画面の下側に横長の番組表をＯＳＤ（ On Screen Display ）表示する。
【先行技術文献】
【特許文献】
【０００３】
【特許文献１】特開２００２−２１６４２７号公報
【発明の概要】
【発明が解決しようとする課題】
【０００４】
しかしながら、放送番組の視聴映像には、表示画面の下側に字幕及び番組内容に関連する文字情報等のテロップが表示されることが多く、当該テロップが番組表に隠れて視認できないという問題があった。また、横長の番組表は、１つのチャンネルで放送される番組を縦に多数表示させる場合、スクロールさせる必要があった。
【０００５】
本発明は斯かる事情に鑑みてなされたものである。その目的は、表示画面の一短辺に沿った領域に画像を重畳する短辺領域表示部を備えることにより、映像の視聴を妨げることなく画像を表示することが可能となる表示装置、表示方法及びプログラムを提供することにある。
【課題を解決するための手段】
【０００６】
本発明に係る表示装置は、横長矩形状の表示画面に表示した映像の一部に画像を重畳して表示する表示装置において、前記画像を表示する操作を受付ける受付部と、該受付部により前記操作を受付けた場合、前記表示画面の一短辺に沿った領域に前記画像を表示する短辺領域表示部とを備えることを特徴とする。
【０００７】
本発明にあっては、横長の表示画面に視聴映像が表示される。ユーザが視聴映像を視聴中に表示装置を操作した場合、視聴映像の左端又は右端の縦長の領域に画像が重畳されて表示される。これにより、ユーザが視聴中の映像の映像内容に密接に関連する映像の中央部、上端及び下端を避けて画像が表示される。
【０００８】
本発明に係る表示装置は、前記短辺領域表示部により前記画像を表示している状態で、前記受付部により前記操作を受付けた場合、前記表示画面の全面に前記画像を表示する全面表示部を備えることを特徴とする。
【０００９】
本発明にあっては、視聴映像の左端又は右端に縦長の画像が表示されている状態でユーザが表示装置を操作した場合、当該画像が全画面に表示される。ユーザは、視聴映像及び画像のいずれか一つを優先して全画面に表示させる。
【００１０】
本発明に係る表示装置は、前記短辺領域表示部により前記画像を表示している状態で、前記受付部により前記操作を受付けた場合、前記表示画面の一長辺に沿った領域に前記画像を表示する長辺領域表示部を備えることを特徴とする。
【００１１】
本発明にあっては、表示画面の左端又は右端に縦長の画像が表示されている状態でユーザが表示装置を操作した場合、表示画面の上端又は下端に横長の画像が表示される。ユーザは、視聴している映像の上下端に字幕等の表示がないことを確認した後に当該上下端に画像を表示させる。
【００１２】
本発明に係る表示装置は、前記短辺領域表示部は、前記表示画面の一側短辺又は他側短辺夫々に沿った領域に前記画像を表示するよう構成してあり、前記受付部は、前記一側短辺又は他側短辺の選択を受付けるよう構成してあることを特徴とする。
【００１３】
本発明にあっては、画像を表示する表示画面の左端又は右端のいずれかがユーザによる操作を受付けて選択される。ユーザは、画像を視聴している映像に重畳して表示させる場合、映像の左端又は右端のいずれが視聴に妨げにならないかを判断して選択する。
【００１４】
本発明に係る表示装置は、前記表示画面の縦横比に応じて前記映像を該表示画面の横方向に伸長する伸長部と、前記短辺領域表示部により前記画像を表示する場合、前記伸長部による伸長を停止する伸長停止部とを備えることを特徴とする。
【００１５】
本発明にあっては、表示画面よりも縦長の映像を表示する場合、映像が横方向に伸長されて表示される。画像を重畳して表示する場合、伸長されて表示されている映像が元の大きさに戻される。これにより、表示画面の左右端に生じた空白部分に画像が表示される。
【００１６】
本発明に係る表示装置は、前記受付部は、前記短辺領域表示部により表示した前記画像に応じた操作を受付け可能に構成してあることを特徴とする。
【００１７】
本発明にあっては、映像を視聴している最中に左右端のいずれかに表示された画像に応じた操作をユーザから受付ける。
【００１８】
本発明に係る表示装置は、１つ又は複数の設定に基づいて前記表示画面に表示する映像を調整する映像調整部を備え、前記受付部は、前記短辺領域表示部により表示した前記画像に応じて前記１つ又は複数の設定を受け付けるよう構成してあることを特徴とする。
【００１９】
本発明にあっては、表示画面に表示する映像の明るさ及び色あい等の複数のパラメータを設定するための画面が映像の左端又は右端の縦長の領域に表示される。これにより、ユーザが映像を確認しながらパラメータを設定することが可能となる。
【００２０】
本発明に係る表示装置は、前記映像は、放送波を受信して得られる番組映像であり、前記画像は、番組表であることを特徴とする。
【００２１】
本発明にあっては、番組映像の左端又は右端に縦長の番組表が表示される。縦長の番組表には、一つの受信チャンネルで放送される番組が多数表示される。
【００２２】
本発明に係る表示方法は、横長矩形状の表示画面に表示した映像の一部に画像を重畳して表示する表示方法において、前記画像を表示する操作を受付け、前記表示画面の一短辺に沿った領域に前記画像を表示することを特徴とする。
【００２３】
本発明にあっては、視聴映像を表示している最中に画像を表示する操作を受け付けた場合、映像の左端又は右端に縦長の画像が重畳されて表示される。
【００２４】
本発明に係るプログラムは、横長矩形状の表示画面を有するコンピュータに、前記表示画面に表示した映像の一部に画像を重畳して表示させるプログラムにおいて、前記コンピュータに、前記画像を表示する操作を受付ける受付ステップと、該受付ステップにより前記操作を受付けた場合、前記表示画面の一短辺に沿った領域に前記画像を表示する表示ステップとを実行させることを特徴とする。
【００２５】
本発明にあっては、ユーザが視聴映像を視聴中に画像を表示する操作を行った場合、視聴映像の左端又は右端に縦長の画像が重畳されて表示される。
【発明の効果】
【００２６】
本発明にあっては、表示画面の一短辺に沿った領域に画像を重畳する短辺領域表示部を備えることにより、映像の視聴を妨げることなく画像を表示することが可能となる。
【図面の簡単な説明】
【００２７】
【図１】テレビジョン受像機及びリモコンの内部構成例を示すブロック図である。
【図２】表示画面例を示す模式図である。
【図３】サイドバー表示されたＥＰＧの画面例を示す模式図である。
【図４】表示画面例を示す模式図である。
【図５】表示画面例を示す模式図である。
【図６】ボトムバー表示されたＥＰＧの画面例を示す模式図である。
【図７】全画面表示されたＥＰＧの画面例を示す模式図である。
【図８】サイドバー表示されたＥＰＧ及び詳細情報の画面例を示す模式図である。
【図９】サイドバー表示された映像調整メニューの画面例を示す模式図である。
【図１０】サイドバー表示された映像調整メニューの画面例を示す模式図である。
【図１１】サイドバー表示された音声調整メニューの画面例を示す模式図である。
【図１２】ＥＰＧを表示する処理の手順を示すフローチャートである。
【図１３】ＥＰＧを表示する処理の手順を示すフローチャートである。
【図１４】ＥＰＧサイドバー表示処理の手順を示すフローチャートである。
【図１５】設定メニューをサイドバー表示する処理の手順を示すフローチャートである。
【図１６】サイドバー表示されたＥＰＧの画面例を示す模式図である。
【図１７】サイドバー表示された録画設定画面の画面例を示す模式図である。
【図１８】ＥＰＧから録画番組を選択する処理の手順を示すフローチャートである。
【図１９】録画予約受付処理の手順を示すフローチャートである。
【図２０】テレビジョン受像機及びリモコンの内部構成例を示すブロック図である。
【発明を実施するための形態】
【００２８】
実施の形態１
以下、本発明をその実施の形態を示す図面に基づき具体的に説明する。本実施の形態の表示装置は、表示画面に映像又は画像を表示している状態で、視聴しているユーザに対して情報画面又は操作画面等の他の画像を表示画面の一端に沿ってＯＳＤ表示する。表示装置は、例えばテレビジョン放送波を受像して表示するテレビジョン受像機、映像機器が出力する映像信号を表示する液晶ディスプレイ装置等である。また、撮影した映像又は画像を表示する表示部を備えたデジタルスチルカメラ、デジタルビデオカメラ及び撮影機能を有する携帯電話等であってもよい。本実施の形態１では、テレビジョン受像機を例に挙げて説明する。
【００２９】
図１は、テレビジョン受像機及びリモコンの内部構成例を示すブロック図である。テレビジョン受像機１は、リモコン３（リモートコントローラ）との間で赤外線を利用したＩｒＤＡ（ Infrared Data Association ）規格に従う無線通信が可能に構成されている。これにより、テレビジョン受像機１には、リモコン３が受け付けた操作が無線通信を介して入力されるようにしてある。尚、表示装置１及びリモコン３を、赤外線を利用した無線通信だけでなく、例えば、ＩＥＥＥ８０２．１規格に準拠した無線ＬＡＮ、及びＢｌｕｅｔｏｏｔｈ（登録商標）規格に従う無線通信等を介して接続してもよい。
【００３０】
テレビジョン受像機１は、放送局からの放送波を受信するアンテナ４が接続されている。テレビジョン受像機１は、チューナ１１と、映像音声取得部１２と、伸長部及び伸長停止部としてのアスペクト比変更部１３と、ＯＳＤ部１４と、液晶パネルからなる表示部１５と、ＥＰＧ情報取得部１６とを備える。チューナ１１は、アンテナ４が受信した放送波を選局し、得られた放送信号を映像音声取得部１２及びＥＰＧ情報取得部１６に与える。映像音声取得部１２は、与えられた放送信号から映像音声信号を取得してアスペクト比変更部１３に与える。テレビジョン受像機１は、受信した映像をアスペクト比変更部１３によりアスペクト比を変更して横に伸長し、表示部１５に表示する伸長表示機能を有している。
【００３１】
伸長部としてのアスペクト比変更部１３は、伸長表示機能が有効に設定された場合、映像音声取得部１２から与えられた映像音声信号の映像のアスペクト比を変更してＯＳＤ部１４に与える。また、伸長停止部としてのアスペクト比変更部１３は、伸長表示機能が無効に設定された場合、映像音声取得部１２から与えられた映像音声信号の映像のアスペクト比を変更せずにＯＳＤ部１４に与える。ＯＳＤ部１４は、与えられた映像音声信号にＥＰＧ（ Electronic Program Guide ）及び各種設定メニュー等をＯＳＤ表示する画像信号を重畳して表示部１５に出力して表示させる。表示部１５は、アスペクト比１６：９の横長矩形状の表示画面及び音声信号を出力するためのスピーカを備える。
【００３２】
また、表示部１５は、複数の設定に基づいて映像の明るさ及び色あい等と、音声の音量及び周波数特性等とを調整して表示及び放音するようにしてある。ＥＰＧ情報取得部１６は、放送される番組の番組表を示すＥＰＧ情報を取得して後述のＣＰＵ１７に与えるようにしてある。テレビジョン受像機１は、ハードウェア各部を制御するためのＣＰＵ（ Central Processing Unit ）１７と、ＲＡＭ（ Random Access Memory ）１８と、ＲＯＭ（ Read-only Memory ）１９と、受信部２０と、外部機器接続部２１と、時計部２２とを備える。ＣＰＵ１７は、バス１８ａを介してハードウェア各部を制御するようにしてある。
【００３３】
ＲＡＭ１８は、ＳＲＡＭ（Static RAM ）又はフラッシュメモリ等で構成されており、ＥＰＧ情報取得部１６が取得したＥＰＧ情報の記憶及びＣＰＵ１７によるプログラムの実行時に発生するフラグ等のデータの一時的な記憶を行う。ＲＯＭ１９には、プログラムが記憶してあり、当該プログラムがＲＡＭ１８に読み出されてＣＰＵ１７により実行される。ＣＰＵ１７は、表示部１５に表示されている映像に重畳する画像を生成してＯＳＤ部１４に与える。これにより、ＣＰＵ１７は、ＯＳＤ部１４と共に表示部１５の表示画面の短辺に沿った領域、全面及び長辺に沿った領域夫々に画像を表示する短辺領域表示部、全面表示部及び長辺領域表示部として機能する。
【００３４】
受信部２０は、リモコン３から送られてきた操作信号を受信してＣＰＵ１７に与えることにより、操作を受付ける受付部として機能する。外部機器接続部２１は、録画装置等の外部機器が接続可能にしてあり、外部機器との間で相互に通信することにより、外部機器の設定情報を受信すると共に、外部機器に設定すべき設定情報を送信する。時計部２２は、ＣＰＵ１７からの要求に応じて日時をＣＰＵ１７に与える。リモコン３は、複数のキーからなり、操作を受付ける操作部３２と、操作部３２が受付けた操作に係る操作信号をテレビジョン受像機１に送信する送信部３１とを備える。
【００３５】
図２は、表示画面例を示す模式図である。図２中斜線部は、表示画面の左端に沿った縦長の領域にＯＳＤ表示された縦長矩形状のサイドバーを示す。テレビジョン受像機１は、図２Ａに示す如く放送番組の映像を表示している状態で、ＥＰＧ等の情報画面を表示する操作を受付けた場合、図２Ｂに示す如く表示画面の左端に情報画面からなる縦長のサイドバーをＯＳＤ表示する。以下、情報画面をＯＳＤ表示されたサイドバーとして表示することをサイドバー表示と呼ぶ。
【００３６】
情報画面をサイドバー表示することで放送番組の映像の下端に表示される字幕及びテロップ等が隠れることがない。また、情報画面をサイドバー表示することで放送番組の映像の上端に表示される津波情報及び地震情報等の緊急を要するテロップが隠れることがない。表示画面の左端に沿ってサイドバーを表示する場合に限るものではなく、表示画面の右端に沿ってサイドバーを表示してもよい。テレビジョン受像機１は、ユーザからの操作を受付けてサイドバーを表示画面の左端及び右端のいずれに表示するかを選択してもよい。
【００３７】
図３は、サイドバー表示されたＥＰＧの画面例を示す模式図である。テレビジョン受像機１は、操作部３２の番組表キーが入力された場合、ＥＰＧをサイドバー表示する。サイドバーには、チューナ１１が選局している受信チャンネルで放送される番組の番組表がＥＰＧ情報取得部１６により取得したＥＰＧ情報に基づいて表示される。また、サイドバーを表示する操作を受付けた時刻が時計部２２から取得される。そして、番組表は、チューナ１１が受信している番組と、当該番組以降に所定期間内で放送される番組とを含んで表示される。図３に示す例では、受信チャンネルを示す「ＣＨ２」と、チャンネル２で放送されている番組「ニュース」と、番組「ニュース」以降の６時間内で放送される番組「ドラマ」、番組「ワールドビジネス」、「旅行英会話入門」及び「ドキュメンタリー」が放送時間帯と共に縦に並んで表示されている。
【００３８】
所定期間は、サイドバーの縦方向の長さに基づいて表示可能な番組の数を決定し、当該番組の数に応じた期間として予め設定される。図３に示す例では、所定期間として６時間が設定されており、チャンネル２で放送されている番組「ニュース」の放送開始時刻７時から６時間未満となる午前０時までに放送される番組が表示されている。テレビジョン受像機１は、ＥＰＧをサイドバー表示している状態で左右カーソルキーが入力された場合、番組表に表示するチャンネルを変更する。これにより、ユーザがチャンネルを変更することで各チャンネルで放送されている番組及び放送予定の番組を確認することが可能となる。
【００３９】
図４は、表示画面例を示す模式図である。テレビジョン受像機１は、伸長表示機能が有効に設定されている状態でアスペクト比４：３の映像を受信した場合、アスペクト比変更部１３により当該映像を横に伸長して表示部１５のアスペクト比１６：９と略同一のアスペクト比にして表示する。この場合、図４Ａに示す如く横に伸長された映像が表示部１５の表示画面の全面に表示される。テレビジョン受像機１は、映像を横に伸長させて表示している状態で番組表キーが入力された場合、映像を元のアスペクト比で表示画面の右端に沿って表示部１５に表示する。これにより、図４Ｂの斜線部で示す如く、表示画面の左端に沿って映像が表示されない領域が生じる。
【００４０】
テレビジョン受像機１は、映像が表示されない領域にＥＰＧをサイドバー表示する。映像が表示されていない領域にＥＰＧがサイドバー表示されるため、映像の一部がサイドバー表示されたＥＰＧによって隠れることがない。また、映像を元のアスペクト比で表示画面の左端に沿って表示部１５に表示してもよい。この場合、表示画面の右端に沿って生じた映像が表示されていない領域にＥＰＧをサイドバー表示する。
【００４１】
図５は、表示画面例を示す模式図である。図５の斜線部は、表示画面の下端に沿ってＯＳＤ表示された横長矩形状のボトムバーを示す。テレビジョン受像機１は、ＥＰＧをサイドバー表示している状態でリモコン３がユーザによる切替キーの入力を受け付けた場合、ＥＰＧをボトムバーに表示する。以下、ＥＰＧをボトムバーに表示することを、ボトムバー表示と呼ぶ。これにより、ユーザは、視聴中の映像にテロップ及び字幕等が下端に表示されていないことを確認した後に、ＥＰＧをボトムバー表示に変更することが可能となる。ボトムバーは、表示画面の下端に表示する場合に限るものではなく、表示画面の上端に表示してもよい。また、ユーザから特定の操作を受付けてボトムバーを表示画面の上端及び下端のいずれに表示するかを選択してもよい。
【００４２】
図６は、ボトムバー表示されたＥＰＧの画面例を示す模式図である。横長のボトムバーに表示されるＥＰＧには、全てのチャンネルで所定期間内に放送される番組が横に並べて表示されている。ＥＰＧをボトムバー表示する場合、サイドバー表示と比較してＥＰＧの表示領域の縦方向の幅は短くなり、縦方向に表示可能な番組の数が減少する。すなわち、表示する番組が放送される所定期間が短くなる。ユーザは、リモコン３の切替キーを操作することにより、一つのチャンネルで放送される番組を多数表示するサイドバー表示と、全チャンネル夫々で放送される番組を少数表示するボトムバー表示とを好みに合わせて切替えることが可能となる。図６に示す例では、チャンネル２から８までの夫々で放送されている番組と、放送されている番組以降の２時間内で放送される番組が表示されている。
【００４３】
図７は、全画面表示されたＥＰＧの画面例を示す模式図である。テレビジョン受像機１は、ＥＰＧをサイドバー又はボトムバー表示している状態で番組表キーが入力された場合、ＥＰＧを表示部１５の表示画面の全面に表示する。ここで、全画面表示とは、全面に表示することである。図７に示す例では、チャンネル２からチャンネル８までの全チャンネル夫々で放送されている番組及び所定の６時間内に各チャンネルで放送される番組が表示されている。この場合、表示画面に表示されている映像全体にＥＰＧが表示され、全チャンネルで放送される番組夫々を多数表示することが可能となる。ユーザは、ＥＰＧがサイドバー表示されている状態で映像を確認した後に、映像の表示よりもＥＰＧの全画面表示を優先して変更することが可能となる。
【００４４】
図８は、サイドバー表示されたＥＰＧ及び詳細情報の画面例を示す模式図である。テレビジョン受像機１は、ＥＰＧをサイドバー表示している状態で上下カーソルキーが入力された場合、各番組間でカーソルを移動させる。図８に示す例では、斜線部で示す番組「ニュース」にカーソルが位置している。テレビジョン受像機１は、選択キーが入力された場合、カーソルが位置する番組の詳細情報を表示する。図８に示す例では、番組「ニュース」の詳細情報としてタイトル「番組情報」と共に、「株価が今年最安値を更新」等の詳細情報がサイドバーの下側に表示されている。次に、設定画面をサイドバー表示する場合について説明する。
【００４５】
図９は、サイドバー表示された映像調整メニューの画面例を示す模式図である。テレビジョン受像機１は、メニューキーが入力された場合、映像調整及び音声調整等夫々に関する設定画面をサイドバー表示する。サイドバー表示された設定画面には、表示部１５が映像及び音声調整等を施す場合に用いる複数の設定が表示される。そして、設定画面に応じてユーザによる操作を受付けて各設定を変更するようにしてある。また、テレビジョン受像機１は、設定画面をサイドバー表示している状態でメニューキーが入力された場合、設定画面のサイドバー表示を停止する。図９に示す映像調整に関する設定画面としての映像調整メニューには、タイトル「設定メニュー」と、設定画面の種類「映像調整」と、上下に並べられた各設定と、操作に関するガイダンスとが表示されている。設定画面の種類「映像調整」の両側には、音声調整メニュー等の設定画面に変更するためのカーソルキーが表示されている。
【００４６】
複数の設定として「明るさセンサー」、「明るさ」、「映像」、「黒レベル」、「色の濃さ」、「色あい」、「画質」及びリセットが表示されている。また、複数の設定から変更する設定を選択するためのカーソルが表示される。図９に示す例では、「明るさセンサー」にカーソルが位置している。「明るさセンサー」は、明るさセンサーの有効又は無効のいずれかの設定状態が選択される。図９に示す例では、明るさセンサーを無効にする「切」が選択されている。明るさは、明るさに応じて複数の異なる設定値が記憶されており、そのうち「標準」に対応付けられた設定値が設定されている。「映像」、「黒レベル」、「色の濃さ」及び「画質」夫々には、値が設定されている。
【００４７】
また、「リセット」が選択された場合、テレビジョン受像機１は、初期状態として予め記憶されている設定に戻す。テレビジョン受像機１は、上下カーソルキーが入力された場合、カーソルを各設定間で移動させる。また、テレビジョン受像機１は、決定キーが入力された場合、カーソルが位置する設定を選択し、ユーザによる設定変更を受付ける。値を変更する場合は、リモコン３の操作部３２が備えるテンキーを用いて受付けるとよい。また、テレビジョン受像機１は、「明るさセンサー」等の選択された設定状態の変更を受付ける場合、設定状態を変更するための映像調整メニューをサイドバー表示する。
【００４８】
図１０は、サイドバー表示された映像調整メニューの画面例を示す模式図である。図１０に示す映像調整メニューの例では、明るさセンサーに関する設定「切」、「入」及び「入：表示あり」が表示されている。「切」及び「入」夫々は、明るさセンサーの機能を無効及び有効にする設定である。「入：表示あり」は、明るさセンサーにより検出した明るさレベルに変化が生じた場合、変化したレベルを表示する機能を無効又は有効にする設定である。「切」、「入」及び「入：表示あり」の３つの設定状態のうち、選択されている設定状態にカーソルが位置する。図１０に示す例では、矩形状四角で囲まれた設定状態「切」にカーソルが位置している。テレビジョン受像機１は、入力された上下カーソルキーに応じてカーソルを設定状態間で移動させ、決定キーが入力された場合にカーソルが位置する設定状態を選択する。
【００４９】
図１１は、サイドバー表示された音声調整メニューの画面例を示す模式図である。複数種の設定として「高音」、「低音」、「バランス」、「サラウンド」、「音質補正」及び「リセット」が表示されている。設定「高音」及び「低音」夫々は、音声の高音域及び低音域夫々の増幅率に関する設定である。設定「バランス」は、複数のスピーカ夫々から出力する音量を調整して音像の定位位置を調整する設定である。設定「サラウンド」は、音声のサラウンド機能の有効又は無効に切替える設定である。「音質補正」は、音声を補正するための複数種類の補正値から一つの補正値を設定する。リセットは、選択された場合に初期状態の設定に戻すようにしてある。
【００５０】
図１２及び図１３は、ＥＰＧを表示する処理の手順を示すフローチャートである。ＥＰＧを表示する処理は、ＣＰＵ１７により実行される。ＣＰＵ１７は、リモコン３からの操作信号に基づいて入力を受付ける（ステップＳ１１）。ＣＰＵ１７は、番組表キーが入力されたか否かを判定する（ステップＳ１２）。ＣＰＵ１７は、番組表キーが入力されていないと判定した場合（ステップＳ１２でＮＯ）、入力を受付けるステップＳ１１に処理を戻す。ＣＰＵ１７は、番組表キーが入力されたと判定した場合（ステップＳ１２でＹＥＳ）、サイドバー表示中であるか否かを判定する（ステップＳ１３）。
【００５１】
ＣＰＵ１７は、サイドバー表示中であると判定した場合（ステップＳ１３でＹＥＳ）、入力された映像を伸長するアスペクト比変更が設定されているか否かを判定する（ステップＳ１４）。ＣＰＵ１７は、アスペクト比変更が設定されていると判定した場合（ステップＳ１４でＹＥＳ）、表示部１５の表示画面のアスペクト比と略一致するよう表示している映像のアスペクト比を変更する（ステップＳ１５）。ＣＰＵ１７は、ＥＰＧを全画面表示して（ステップＳ１６）、入力を受付けるステップＳ１１に処理を戻す。
【００５２】
ＣＰＵ１７は、ステップＳ１４で、アスペクト比変更が設定されていないと判定した場合（ステップＳ１４でＮＯ）、ＥＰＧを全画面表示するステップＳ１６に処理を移す。ＣＰＵ１７は、ステップＳ１３でサイドバー表示中でないと判定した場合（ステップＳ１３でＮＯ）、ＥＰＧを全画面表示中であるか否かを判定する（ステップＳ１７）。ＣＰＵ１７は、全画面表示中であると判定した場合（ステップＳ１７でＹＥＳ）、ＥＰＧの表示を停止して（ステップＳ１８）、処理を終了する。ＣＰＵ１７は、全画面表示中でないと判定した場合（ステップＳ１７でＮＯ）、チューナ１１の受信チャンネルを表示チャンネルに設定し（ステップＳ１９）、表示チャンネルのＥＰＧを表示する後述のＥＰＧサイドバー表示処理を実行する（ステップＳ２０）。
【００５３】
ＣＰＵ１７は、入力を受付けて（ステップＳ２１）、終了キーが入力されたか否かを判定する（ステップＳ２２）。ＣＰＵ１７は、終了キーが入力されたと判定した場合（ステップＳ２２でＹＥＳ）、ＥＰＧの表示を停止するステップＳ１８に処理を移す。ＣＰＵ１７は、終了キーが入力されていないと判定した場合（ステップＳ２２でＮＯ）、左右カーソルキーが入力されたか否かを判定する（ステップＳ２３）。ＣＰＵ１７は、左右カーソルキーが入力されたと判定した場合（ステップＳ２３でＹＥＳ）、ＥＰＧに表示するチャンネルを変更して（ステップＳ２４）、ステップＳ２１に処理を戻す。また、ＣＰＵ１７は、左右カーソルキーが入力されていないと判定した場合（ステップＳ２３でＮＯ）、番組表キーが入力されたか否かを判定するステップＳ１２に処理を戻す。
【００５４】
図１４は、ＥＰＧサイドバー表示処理の手順を示すフローチャートである。ＥＰＧサイドバー表示処理は、図１２及び図１３で示したＥＰＧを表示する処理のステップＳ２０で実行される。ＣＰＵ１７は、時計部２２から時刻を取得し（ステップＳ３１）、表示チャンネルの所定期間内で放送される番組一覧をＥＰＧ情報から取得する（ステップＳ３２）。ＣＰＵ１７は、番組一覧から一つの番組を選択し（ステップＳ３３）、番組の放送時間に基づいて番組の表示幅を算出する（ステップＳ３４）。ＣＰＵ１７は、番組の開始時刻に基づいて番組の表示開始位置を算出する（ステップＳ３５）。
【００５５】
ＣＰＵ１７は、番組一覧から全番組を選択済みであるか否かを判定する（ステップＳ３６）。ＣＰＵ１７は、全ての番組を選択済みでないと判定した場合（ステップＳ３６でＮＯ）、番組一覧から他の番組を選択する（ステップＳ３７）。ＣＰＵ１７は、放送時間に基づいて番組の表示幅を算出するステップＳ３４に処理を戻す。ＣＰＵ１７は、ステップＳ３６で全番組を選択済みであると判定した場合（ステップＳ３６でＹＥＳ）、各番組の表示幅及び表示開始位置に基づいてサイドバーの画像を生成する（ステップＳ３８）。
【００５６】
ＣＰＵ１７は、映像のアスペクト比が変更されているか否かを判定する（ステップＳ３９）。ＣＰＵ１７は、アスペクト比が変更されていると判定した場合（ステップＳ３９でＹＥＳ）、映像を元のアスペクト比に変更する（ステップＳ４０）。ＣＰＵ１７は、サイドバーをＯＳＤ表示してＥＰＧサイドバー表示処理を終了する。ＣＰＵ１７は、ステップＳ３９でアスペクト比が変更されていないと判定した場合（ステップＳ３９でＮＯ）、サイドバーをＯＳＤ表示して（ステップＳ４１）、ＥＰＧサイドバー表示処理を終了する。
【００５７】
図１５は、設定メニューをサイドバー表示する処理の手順を示すフローチャートである。ＣＰＵ１７は、映像調整及び音声調整等の複数のメニュー種別のうち、メニュー種別の初期設定を読み出して（ステップＳ５１）、読み出したメニュー種別に対応したサイドバーの画像を生成する（ステップＳ５２）。ＣＰＵ１７は、サイドバーをＯＳＤ表示し（ステップＳ５３）、入力を受付ける（ステップＳ５４）。ＣＰＵ１７は、設定変更を受付けたか否かを判定する（ステップＳ５５）。ＣＰＵ１７は、設定変更を受付けたと判定した場合（ステップＳ５５でＹＥＳ）、設定を変更する（ステップＳ５６）。ＣＰＵ１７は、左右カーソルキーが入力されたか否かを判定する（ステップＳ５７）。ＣＰＵ１７は、左右カーソルキーが入力されたと判定した場合（ステップＳ５７でＹＥＳ）、メニュー種別を変更し（ステップＳ５８）、サイドバーの画像を生成するステップＳ５２に処理を戻す。
【００５８】
ＣＰＵ１７は、左右カーソルキーが入力されていないと判定した場合（ステップＳ５７でＮＯ）、終了キーが入力されたか否かを判定する（ステップＳ５９）。ＣＰＵ１７は、終了キーが入力されていないと判定した場合（ステップＳ５９でＮＯ）、メニューキーが入力されたか否かを判定する（ステップＳ６０）。ＣＰＵ１７は、メニューキーが入力されていないと判定した場合（ステップＳ６０でＮＯ）、入力を受付けるステップＳ５４に処理を戻す。ＣＰＵ１７は、メニューキーが入力されたと判定した場合（ステップＳ６０でＹＥＳ）、サイドバーのＯＳＤ表示を停止して（ステップＳ６１）、処理を終了する。また、ＣＰＵ１７は、ステップＳ５５で設定変更を受付けていないと判定した場合（ステップＳ５５でＮＯ）、左右カーソルキーが入力されたか否かを判定するステップＳ５７に処理を移す。ＣＰＵ１７は、ステップＳ５９で終了キーが入力されたと判定した場合（ステップＳ５９でＹＥＳ）、サイドバーのＯＳＤ表示を停止するステップＳ６１に処理を移す。
【００５９】
実施の形態２
本実施の形態２は、実施の形態１がサイドバー表示されたＥＰＧから詳細情報を表示する番組を選択可能にしてあるのに対して、外部機器に録画予約する番組を選択可能にしてある。テレビジョン受像機１は、外部機器接続部２１に接続された録画装置との間で録画予約に関する録画情報を通信するようにしてある。テレビジョン受像機１は、ＥＰＧをサイドバー表示している状態で、番組が選択された場合、録画設定画面をサイドバー表示する。
【００６０】
図１６は、サイドバー表示されたＥＰＧの画面例を示す模式図である。図１６に示す例では、番組「ニュース」にカーソルが位置しており、決定キーが入力された場合、当該番組が選択されて、当該番組を録画予約するための録画設定画面が表示される。番組の選択は、実施の形態１と同様に上下カーソルキーの入力に応じてカーソルを移動させ、決定キーが入力された場合にカーソルが位置する番組を選択するとよい。
【００６１】
テレビジョン受像機１は、サイドバー表示された録画設定画面に応じて入力された操作に基づいて録画予約を受付ける。テレビジョン受像機１は、受付た録画予約に関する録画日時、録画番組及び録画時間を示す録画情報を録画装置へ送信する。録画装置は、録画情報を受信し、録画予約リストに録画番組を追加して録画予約するようにしてある。また、テレビジョン受像機１は、録画予約リストを表示する操作を受付けた場合、録画装置に録画情報を要求し、送られてきた録画情報を受信して表示する。次に、テレビジョン受像機１が録画設定画面をサイドバー表示して録画予約を受付ける手順を説明する。
【００６２】
図１７は、サイドバー表示された録画設定画面の画面例を示す模式図である。図１７は、図１６に示す如く番組「ニュース」が選択された場合に表示される録画設定画面を示している。録画設定画面には、選択された番組が放送されるチャンネル、放送時間、番組の放送日に対応する録画日、録画開始時刻及び録画終了時間等が表示される。また、設定されている録画画質及び番組に応じた録画時間が表示される。録画設定画面には、録画予約を設定する「予約する」と表示されたアイコンと、録画予約を取り消すための「予約しない」と表示されたアイコンとを備える。
【００６３】
図１８は、ＥＰＧから録画番組を選択する処理の手順を示すフローチャートである。ＣＰＵ１７は、入力を受付けて（ステップＳ７１）、カーソルキーが入力されたか否かを判定する（ステップＳ７２）。ＣＰＵ１７は、カーソルキーが入力されたと判定した場合（ステップＳ７２でＹＥＳ）、選択中の番組情報を更新して（ステップＳ７３）、ＥＰＧサイドバー表示処理を実行する（ステップＳ２０）。そしてＣＰＵ１７は、入力を受付けるステップＳ７１に処理を戻す。ＣＰＵ１７は、カーソルキーが入力されていないと判定した場合（ステップＳ７２でＮＯ）、決定キーが入力されたか否かを判定する（ステップＳ７５）。
【００６４】
ＣＰＵ１７は、決定キーが入力されたと判定した場合（ステップＳ７５でＹＥＳ）、選択中の番組は録画予約済みであるか否かを判定する（ステップＳ７６）。ＣＰＵ１７は、選択中の番組は録画予約済みであると判定した場合（ステップＳ７６でＹＥＳ）、録画情報をサイドバー表示して（ステップＳ７７）、処理を終了する。ＣＰＵ１７は、選択中の番組は録画予約済みでないと判定した場合（ステップＳ７６でＮＯ）、録画設定画面をサイドバー表示する（ステップＳ７８）。そしてＣＰＵ１７は、録画設定画面に応じた録画予約を受付ける後述の録画予約受付処理を実行して（ステップＳ７９）、処理を終了する。
【００６５】
ＣＰＵ１７は、ステップＳ７５で決定キーの入力を受付けていないと判定した場合（ステップＳ７５でＮＯ）、番組表キーの入力を受付けたか否かを判定する（ステップＳ８０）。ＣＰＵ１７は、番組表キーの入力を受付けたと判定した場合（ステップＳ８０でＹＥＳ）、ＥＰＧの表示を停止して（ステップＳ８１）、処理を終了する。ＣＰＵ１７は、番組表キーの入力を受付けていないと判定した場合（ステップＳ８０でＮＯ）、処理を終了する。
【００６６】
図１９は、録画予約受付処理の手順を示すフローチャートである。録画予約受付処理は、図１８のステップＳ７９で実行される。ＣＰＵ１７は、選択中の番組の放送時間に基づいて録画時間を取得し（ステップＳ９１）、ハードディスク等の記憶部の空き容量から残余時間を取得する（ステップＳ９２）。ＣＰＵ１７は、録画時間が残余時間以下であるか否かを判定する（ステップＳ９３）。ＣＰＵ１７は、録画時間が残余時間以下であると判定した場合（ステップＳ９３でＹＥＳ）、録画設定画面に録画情報を表示し（ステップＳ９４）、入力を受け付ける（ステップＳ９５）。ＣＰＵ１７は、録画予約が選択されたか否かを判定する（ステップＳ９６）。
【００６７】
ＣＰＵ１７は、録画予約が選択されたと判定した場合（ステップＳ９６でＹＥＳ）、録画情報を受け付ける（ステップＳ９７）。ＣＰＵ１７は、録画設定画面に録画予約完了のメッセージを表示して（ステップＳ９８）、録画予約受付処理を終了する。ＣＰＵ１７は、ステップＳ９６で録画予約が選択されていないと判定した場合（ステップＳ９６でＮＯ）、録画設定画面に録画予約取消のメッセージを表示して（ステップＳ９９）、録画予約受付処理を終了する。ＣＰＵ１７は、ステップＳ９３で録画時間が残余時間以下ではないと判定した場合（ステップＳ９３でＮＯ）、録画設定画面に残量不足のエラー表示して（ステップＳ１００）、録画予約受付処理を終了する。
【００６８】
本実施の形態２は以上の如き構成としてあり、その他の構成及び処理は実施の形態１と同様であるので対応する部分には同一の符号及び処理名を付してその詳細な説明を省略する。
【００６９】
実施の形態３
図２０は、テレビジョン受像機及びリモコンの内部構成例を示すブロック図である。本実施の形態３は、実施の形態１及び実施の形態２がＲＯＭ１９に記憶してあるプログラムを実行するのに対して、書き換え可能なＥＥＰＲＯＭ（ Electrically Erasable Programmable Read-Only Memory ）に記憶されたプログラムを読み出して実行するようにしてある。テレビジョン受像機１は、ＥＥＰＲＯＭ２４及び記録媒体読込部２３を備える。ＣＰＵ１７は、記録媒体読込部２３に挿入されたＣＤ（ Compact Disk ）−ＲＯＭ又はＤＶＤ（ Digital Versatile Disk ）−ＲＯＭ等の記録媒体２３０からプログラム２３１を読み込んでＥＥＰＲＯＭ２４に記憶するようにしてある。ＣＰＵ１７は、ＥＥＰＲＯＭ２４に記憶したプログラム２３１をＲＡＭ１８に読み出して実行する構成となっている。ＣＰＵ１７は、プログラム２３１に従って、ＥＰＧ等をサイドバー表示する操作を受付けて（受付ステップ）、表示部１５に表示する（表示ステップ）。
【００７０】
本発明に係るプログラム２３１は、記録媒体２３０から読み出してＥＥＰＲＯＭ２４に記憶される場合に限るものではなく、メモリカード等の外部メモリに記憶させても良い。この場合、ＣＰＵ１７に接続される図示しない外部メモリからプログラム２３１を読み出してＥＥＰＲＯＭ２４に記憶させる。さらにＣＰＵ１７に接続された図示しない通信部と外部のコンピュータとの間で通信を確立し、係るプログラム２３１をＥＥＰＲＯＭ２４へダウンロードしても良い。
【００７１】
本実施の形態３は以上の如き構成としてあり、その他の構成、作用及び処理は実施の形態１及び実施の形態２と同様であるので対応する部分には同一の符号及び処理名を付してその詳細な説明を省略する。
【符号の説明】
【００７２】
１、２  テレビジョン受像機
４  アンテナ
３  リモコン（リモートコントローラ）
１１  チューナ
１２  映像音声取得部
１３  アスペクト比変更部
１４  ＯＳＤ部
１５  表示部
１６  ＥＰＧ情報取得部
１７  ＣＰＵ
１８  ＲＡＭ
１８ａ  バス
１９  ＲＯＭ
２０  受信部
２１  外部機器接続部
２２  時計部
２３  記録媒体読込部
２４  ＥＥＰＲＯＭ
３１  送信部
３２  操作部
２３０  記録媒体
２３１  プログラム
【図１】
2011024034.tif 000003
【図２】
2011024034.tif 000004
【図３】
2011024034.tif 000005
【図４】
2011024034.tif 000006
【図５】
2011024034.tif 000007
【図６】
2011024034.tif 000008
【図７】
2011024034.tif 000009
【図８】
2011024034.tif 000010
【図９】
2011024034.tif 000011
【図１０】
2011024034.tif 000012
【図１１】
2011024034.tif 000013
【図１２】
2011024034.tif 000014
【図１３】
2011024034.tif 000015
【図１４】
2011024034.tif 000016
【図１５】
2011024034.tif 000017
【図１６】
2011024034.tif 000018
【図１７】
2011024034.tif 000019
【図１８】
2011024034.tif 000020
【図１９】
2011024034.tif 000021
【図２０】
2011024034.tif 000022